(57)【要約】【課題】本発明は、明確且つ迅速に利用者の安否を確認することができる安否確認機能を有する入退室管理システムを提供することを目的とする。【解決手段】本発明に係る入退室管理システムは、通常操作又は特殊操作が行われた際に信号を送信する情報送信機１４からの信号を受信する読取装置１と、通常操作による信号に基づいて照合を行う照合部７と、照合の結果に基づいて電気錠５を制御する施解錠部８と、災害発生時に安否確認機能を有効化するモード切替部９と、安否確認機能が有効化されている場合に、特殊操作による信号に基づいて安否情報を生成する安否情報生成部１０と、安否情報を予め設定された連絡先に通知する通知部１２と、を備え、特殊操作は、安全であることを示すための操作として予め設定された第１特殊操作と、安全でないことを示すための操作として予め設定された第２特殊操作と、を含むものである。【選択図】図１
2016110427.tif 000002
【特許請求の範囲】
【請求項１】
操作部に対して通常操作又は特殊操作が行われた際に信号を送信する情報送信機からの信号を受信する読取装置と、
前記読取装置が受信した前記通常操作による信号に基づいて照合を行う照合部と、
前記照合部による照合の結果に基づいて電気錠を制御する施解錠部と、
災害発生時に安否確認機能を有効化するモード切替部と、
前記安否確認機能が有効化されている場合に、前記読取装置が受信した前記特殊操作による信号に基づいて安否情報を生成する安否情報生成部と、
前記安否情報生成部により生成された安否情報を予め設定された連絡先に通知する通知部と、
を備え、
前記特殊操作は、
安全であることを示すための操作として予め設定された第１特殊操作と、
安全でないことを示すための操作として予め設定された第２特殊操作と、
を含む入退室管理システム。
【請求項２】
前記操作部は、物理的に形成された押しボタンであり、
前記特殊操作は、押しボタンを押下する回数又は押しボタンを押下し続ける時間が前記通常操作とは異なる請求項１に記載の入退室管理システム。
【請求項３】
前記安否情報生成部は、前記特殊操作による信号を受信した前記読取装置が設置されている場所に基づく情報を含む安否情報を生成する請求項１又は２に記載の入退室管理システム。
【請求項４】
前記安否情報生成部は、前記読取装置が前記特殊操作による信号を受信した時刻に基づく情報を含む安否情報を生成する請求項１から３のいずれか１項に記載の入退室管理システム。
【発明の詳細な説明】
【技術分野】
【０００１】
本発明は、入退室管理システムに関するものである。
【背景技術】
【０００２】
下記特許文献１には、端末と読取装置との間で通信が行われた際に、当該端末を携帯する利用者の安否情報を登録するシステムが記載されている。このシステムの利用者が端末を用いてメッセージを入力した場合、当該利用者の安否情報には当該メッセージが含まれる。
【先行技術文献】
【特許文献】
【０００３】
【特許文献１】特開２０１４−１３５５８３号公報
【発明の概要】
【発明が解決しようとする課題】
【０００４】
特許文献１に記載のシステムにおいて、利用者がメッセージを入力しない場合、当該利用者の安否情報は、当該利用者が安全な状態であるか否かを明確には示さない。一方、利用者がメッセージを入力する場合、当該利用者の安否情報が登録されるまでに時間を要する。このため、特許文献１に記載のシステムでは、明確且つ迅速に利用者の安否を確認できない。
【０００５】
本発明は、上記の課題を解決するためになされた。その目的は、明確且つ迅速に利用者の安否を確認することができる安否確認機能を有する入退室管理システムを提供することである。
【課題を解決するための手段】
【０００６】
本発明に係る入退室管理システムは、操作部に対して通常操作又は特殊操作が行われた際に信号を送信する情報送信機からの信号を受信する読取装置と、読取装置が受信した通常操作による信号に基づいて照合を行う照合部と、照合部による照合の結果に基づいて電気錠を制御する施解錠部と、災害発生時に安否確認機能を有効化するモード切替部と、安否確認機能が有効化されている場合に、読取装置が受信した特殊操作による信号に基づいて安否情報を生成する安否情報生成部と、安否情報生成部により生成された安否情報を予め設定された連絡先に通知する通知部と、を備え、特殊操作は、安全であることを示すための操作として予め設定された第１特殊操作と、安全でないことを示すための操作として予め設定された第２特殊操作と、を含むものである。
【発明の効果】
【０００７】
本発明に係る入退室管理システムにおいて、情報送信機は、操作部に対して特殊操作が行われた際に信号を送信する。安否情報生成部は、特殊操作による信号に基づいて安否情報を生成する。特殊操作は、予め設定された第１特殊操作と、予め設定された第２特殊操作と、を含む。このため、本発明によれば、明確且つ迅速に利用者の安否を確認することができる。
【図面の簡単な説明】
【０００８】
【図１】本発明の実施の形態１における入退室管理システムの構成図である。
【図２】本発明の実施の形態１における情報送信機のボタン操作が行われている状態を示す概念図である。
【図３】本発明の実施の形態１における入退室管理システムのハードウェア構成図である。
【図４】本発明の実施の形態１における入退室管理システムの運転モードの切り替え動作を示すフローチャートである。
【図５】本発明の実施の形態１における入退室管理システムが有する安否確認機能によって生成された安否情報の一例を示す図である。
【図６】本発明の実施の形態１における入退室管理システムが有する安否確認機能によって自動的に通知された安否情報の一例を示す図である。
【図７】本発明の実施の形態１における入退室管理システムの動作を示すフローチャートである。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における入退室管理システムの構成図である。入退室管理システムは、例えば、複数の部屋及び複数の扉を備えた図示しない建物に適用される。
【００１１】
図１に示すように、入退室管理システムは、読取装置１、電気錠制御装置２、センター装置３、安否確認装置４及び電気錠５を備えている。電気錠制御装置２は、記憶部６、照合部７及び施解錠部８を備えている。センター装置３は、モード切替部９を備えている。安否確認装置４は、安否情報生成部１０、データ格納部１１及び通知部１２を備えている。電気錠５は、図示しない扉に設けられている。読取装置１は、例えば、電気錠５が設けられた扉又は当該扉付近の壁面等に設けられている。読取装置１は、例えば、ローカルコントローラ、カードリーダ又はハンズフリーアンテナ等のローカルシステムである。
【００１２】
モード切替部９は、災害検知手段１３との間で通信を行う。災害検知手段１３は、例えば、外部の地震感知システム等である。
【００１３】
入退室管理システムの利用者は、識別情報を有する情報送信機１４を携帯している。情報送信機１４は、例えば、ＩＣタグ又はＩＣカード等である。識別情報は、情報送信機１４を特定するための情報である。識別情報は、例えば、個人番号又はＩＤ等である。
【００１４】
情報送信機１４は、操作部１５を有している。操作部１５は、例えば、情報送信機１４の本体に物理的に形成されたものである。操作部１５は、例えば、利用者が片手で容易に操作可能に形成されたものである。操作部１５は、例えば、押しボタン、レバー又はダイヤル等である。情報送信機１４は、操作部１５に対して操作が行われた際に、当該情報送信機１４の識別情報を含む信号を送信する。操作部１５に対する操作は、予め設定された通常操作及び予め設定された特殊操作を含んでいる。以下、一例として、操作部１５が押しボタンである場合について説明する。
【００１５】
通常操作は、入退室管理に関する操作である。操作部１５が押しボタンである場合、通常操作は、例えば、押しボタンを１回だけ押下することである。
【００１６】
特殊操作は、利用者の安否確認に関する操作である。特殊操作は、第１特殊操作及び第２特殊操作を含んでいる。第１特殊操作は、安全であることを示す信号を情報送信機１４から送信させるための操作として、予め設定されたものである。第２特殊操作は、安全でないことを示す信号を情報送信機１４から送信させるための操作として、予め設定されたものである。操作部１５が押しボタンである場合、第１特殊操作は、例えば、押しボタンを複数回連続で押下することである。操作部１５が押しボタンである場合、第２特殊操作は、例えば、押しボタンを一定時間以上押下し続けることである。利用者は、例えば、災害発生時に無傷であった場合等に、第１特殊操作を行う。利用者は、例えば、災害発生時に負傷した場合及び建物内に閉じ込められた場合等に、第２特殊操作を行う。
【００１７】
図２は、実施の形態１における情報送信機のボタン操作が行われている状態を示す概念図である。情報送信機１４は、利用者によって押しボタンが押下されると、信号を送信する。読取装置１は、情報送信機１４からの信号を受信する。つまり、読取装置１は、情報送信機１４との間で無線通信を行う。
【００１８】
読取装置１は、情報送信機１４からの信号をセンター装置３に送信する。読取装置１は、情報送信機１４からの信号に含まれる識別情報を電気錠制御装置２に送信する。
【００１９】
電気錠制御装置２の記憶部６は、照合用の識別情報を予め記憶している。照合部７は、読取装置１が受信した通常操作による信号に含まれる識別情報を記憶部６に記憶されている識別情報と照合する。施解錠部８は、照合部７による照合の結果に基づいて、電気錠５を制御する。施解錠部８は、例えば、通常操作による信号に含まれる識別情報が記憶部６に記憶されている場合に、電気錠５を解錠する。施解錠部８は、例えば、通常操作による信号に含まれる識別情報が記憶部６に記憶されていない場合に、電気錠５を解錠しない。このように、読取装置１、記憶部６、照合部７、施解錠部８及び電気錠５等により、入退室管理機能が実現される。
【００２０】
センター装置３は、読取装置１及び電気錠制御装置２等を制御する。センター装置３は、例えば、個人情報の登録、入退室用カードの発行、各種履歴の管理及び運用上の設定等を行う。センター装置３は、読取装置１から受信した信号が通常操作によるものか特殊操作によるものか判定する。センター装置３は、読取装置１から受信した信号を安否確認装置４に送信する。
【００２１】
安否確認装置４は、利用者の安否確認機能を実現する。モード切替部９は、災害検知手段１３と通信を行うことで、災害発生の有無を確認する。つまり、モード切替部９は、外部の地震感知システム等と連携することで、災害が発生しているか否かを判定する。モード切替部９は、災害発生時に、入退室管理システムの運転モードを通常モードから安否確認モードに切り替える。通常モードは、入退室管理機能だけが有効な状態である。安否確認モードは、入退室管理機能に加えて、利用者の安否確認機能が有効化された状態である。
【００２２】
図３は、実施の形態１における入退室管理システムのハードウェア構成図である。電気錠制御装置２は、プロセッサ１６ａ及びメモリ１７ａを備えている。センター装置３は、プロセッサ１６ｂ及びメモリ１７ｂを備えている。安否確認装置４は、プロセッサ１６ｃ及びメモリ１７ｃを備えている。電気錠制御装置２の機能は、プロセッサ１６ａがメモリ１７ａに記憶されたプログラムを実行することにより、実現される。センター装置３の機能は、プロセッサ１６ｂがメモリ１７ｂに記憶されたプログラムを実行することにより、実現される。安否確認装置４の機能は、プロセッサ１６ｃがメモリ１７ｃに記憶されたプログラムを実行することにより、実現される。また、複数のプロセッサおよび複数のメモリが連携して電気錠制御装置２、センター装置３及び安否確認装置４の機能を実行してもよい。なお、センター装置３が安否確認装置４の機能を有していてもよい。この場合、安否確認装置４の機能は、プロセッサ１６ｂがメモリ１７ｂに記憶されたプログラムを実行することにより、実現される。
【００２３】
図４は、実施の形態１における入退室管理システムの運転モードの切り替え動作を示すフローチャートである。入退室管理システムの運転モードが通常モードであるとき（ステップＳ１０１）、モード切替部９は、災害が発生しているか否かを判定する（ステップＳ１０２）。ステップＳ１０２において、災害が発生していないと判定された場合、モード切替部９は、入退室管理システムの運転モードを通常モードのままとする（ステップＳ１０３）。つまり、ステップＳ１０３において、モード切替部９は、入退室管理システムの運転モードを安否確認モードに切り替えない。一方、ステップＳ１０２において、災害が発生していると判定された場合、モード切替部９は、入退室管理システムの運転モードを安否確認モードに切り替える（ステップＳ１０４）。
【００２４】
入退室管理システムの運転モードが通常モードである場合、安否確認装置４は動作しない。入退室管理システムの運転モードが安否確認モードである場合、安否確認装置４は動作する。
【００２５】
安否情報生成部１０は、読取装置１が受信した特殊操作による信号に基づいて、識別情報毎に安否情報を生成する。つまり、安否情報生成部１０は、特殊操作を行った利用者毎に安否情報を生成する。安否情報生成部１０によって生成された安否情報は、データ格納部１１に記憶される。既に安否情報がデータ格納部１１に記憶されている利用者の新たな安否情報が生成された場合、当該利用者の安否情報は更新される。データ格納部１１は、例えば、安否確認サーバ等である。入退室管理システムの管理者等は、データ格納部１１にアクセスすることで、安否情報を閲覧することが可能である。
【００２６】
図５は、実施の形態１における入退室管理システムが有する安否確認機能によって生成された安否情報の一例を示す図である。図５は、管理者等がデータ格納部１１にアクセスして安否情報を閲覧する際に表示される画面の具体例を示している。
【００２７】
図５に示すように、利用者毎に生成された複数の安否情報は、例えば、一覧表示される。安否情報は、例えば、互いに関連付けられた「個人番号」、「氏名」、「所属」、「現在位置」、「通知時刻」及び「安否状況」等を含む。「個人番号」は、読取装置１が受信した特殊操作による信号に含まれている識別情報である。「氏名」及び「所属」は、「個人番号」と関連付けられて、記憶部６、センター装置３、安否確認装置４及び情報送信機１４等の少なくとも１つに予め記憶されていたものである。「現在位置」は、例えば、特殊操作による信号を受信した読取装置１が設置されている場所に基づくものである。「通知時刻」は、例えば、特殊操作による信号を読取装置１が受信した時刻に基づくものである。「安否状況」は、利用者が安全な状態であるか否かを示すものである。「安否状況」は、情報送信機１４に対して利用者が行った特殊操作の内容に基づいて表される。利用者が第１特殊操作を行った場合、当該利用者の「安否状況」は、例えば「○」で表される。利用者が第２特殊操作を行った場合、当該利用者の「安否状況」は、例えば「×」で表される。「安否状況」が「×」である利用者の安否情報は、例えば、背景を赤色にすることで強調して表示される。
【００２８】
通知部１２は、予め設定された連絡先に対して、安否情報生成部１０により生成された安否情報を自動的に通知する。通知部１２は、例えば、データ格納部１１に記憶されている安否情報を、生成された順に当該連絡先に通知する。通知部１２による通知は、例えば、電子メールを送信すること等により行われる。当該連絡先は、例えば、管理者等の携帯電話のメールアドレス等である。
【００２９】
図６は、実施の形態１における入退室管理システムが有する安否確認機能によって自動的に通知された安否情報の一例を示す図である。図６は、管理者等の携帯電話に表示される画面の具体例を２つ示している。
【００３０】
図６に示すように、通知部１２から通知された安否情報は、例えば、一人分ずつ表示される。図６の（ａ）に示す具体例は、「安否状況」が「○」である利用者の安否情報である。図６の（ｂ）に示す具体例は、「安否状況」が「×」である利用者の安否情報である。「安否状況」が「×」である利用者の安否情報は、例えば、「×」の文字を赤色にすることで強調して表示される。
【００３１】
図７は、実施の形態１における入退室管理システムの動作を示すフローチャートである。以下、図７を参照して、入退室管理システムの動作の一例を説明する。
【００３２】
情報送信機１４のボタン操作が行われると（ステップＳ２０１）、情報送信機１４は、信号を送信する。読取装置１は、情報送信機１４から信号を受信する（ステップＳ２０２）。読取装置１は、情報送信機１４から受信した信号をセンター装置３に送信する（ステップＳ２０３）。センター装置３は、読取装置１から受信した信号が特殊操作によるものか否かを判定する（ステップＳ２０４）。つまり、ステップＳ２０４では、ステップＳ２０１における情報送信機１４のボタン操作状況が確認される。
【００３３】
ステップＳ２０４において、信号が特殊操作によるものでないと判定された場合、入退室管理システムは、入退室管理機能による処理を実施する（ステップＳ２０５）。つまり、利用者が通常操作を行った場合、入退室管理システムは、入退室管理機能による処理を実施する。
【００３４】
ステップＳ２０４において、信号が特殊操作によるものであると判定された場合、センター装置３は、入退室管理システムの安否確認機能が有効化されているか否かを判定する（ステップＳ２０６）。つまり、ステップＳ２０６では、入退室管理システムの現在の運転モードが確認される。
【００３５】
ステップＳ２０６において、入退室管理システムの安否確認機能が有効化されていると判定された場合、センター装置３は、読取装置１から受信した信号を安否確認装置４に送信する（ステップＳ２０７）。安否確認装置４は、当該信号に基づいて安否情報を生成する。そして、安否確認装置４は、例えば、管理者に安否情報を含む電子メールを送信する（ステップＳ２０８）。つまり、運転モードが安否確認モードである場合に利用者が特殊操作を行うと、入退室管理システムは、安否確認機能による処理を実施する。
【００３６】
一方、ステップＳ２０６において、安否確認機能が有効化されていないと判定された場合、入退室管理システムは、何も処理を実施しない（ステップＳ２０９）。つまり、運転モードが通常モードである場合に利用者が特殊操作を行っても、入退室管理システムは、安否確認機能による処理を実施しない。
【００３７】
実施の形態１において、情報送信機１４は、操作部１５に対して通常操作又は特殊操作が行われた際に信号を送信する。モード切替部９は、災害発生時に安否確認機能を有効化する。安否情報生成部１０は、安否確認機能が有効化されている場合に、読取装置１が受信した特殊操作による信号に基づいて安否情報を生成する。通知部１２は、安否情報生成部１０により生成された安否情報を予め設定された連絡先に通知する。そして、特殊操作は、安全であることを示すための操作として予め設定された第１特殊操作と、安全でないことを示すための操作として予め設定された第２特殊操作と、を含んでいる。本発明によれば、利用者は、予め設定された特殊操作を行うだけで、自分が安全な状態であるか否かを示すことができる。このため、特殊操作を行った利用者が安全な状態であるか否かを明確に示す安否情報が迅速に生成される。その結果、管理者等は、災害発生時に、明確且つ迅速に利用者の安否を確認することができる。また、生成された安否情報は、管理者等に対して自動的に通知される。これにより、安否情報の確認漏れが発生することを防止できる。
【００３８】
実施の形態１において、情報送信機１４は、操作部１５に対して通常操作又は特殊操作が行われた際に信号を送信する。照合部７は、読取装置１が受信した通常操作による信号に基づいて照合を行う。施解錠部８は、照合部７による照合の結果に基づいて電気錠５を制御する。このように、情報送信機１４及び読取装置１は、通常の入退室管理のためにも用いられるものである。このため、本発明によれば、共通の機器を用いて入退室管理機能及び安否確認機能の双方を実現することができる。その結果、コストの増加を抑えつつ、安否確認機能を有する入退室管理システムを提供することができる。
【００３９】
実施の形態１において、操作部１５は、例えば、物理的に形成された押しボタンである。この場合、特殊操作は、例えば、押しボタンを押下する回数又は押しボタンを押下し続ける時間が通常操作とは異なるものである。このため、利用者は、簡易な操作で、迅速に自分が安全な状態であるか否かを示すことができる。その結果、管理者等は、災害発生時に、明確且つ迅速に利用者の安否を確認することができる。
【００４０】
実施の形態１において、安否情報生成部１０は、特殊操作による信号を受信した読取装置１が設置されている場所に基づく情報を含む安否情報を生成する。このため、管理者等は、安否情報を参照することで、特殊操作を行った利用者の現在位置を把握できる。その結果、例えば、災害発生時に負傷した利用者を迅速に救助することができる。
【００４１】
実施の形態１において、安否情報生成部１０は、読取装置１が特殊操作による信号を受信した時刻に基づく情報を含む安否情報を生成する。このため、管理者等は、安否情報を参照することで、利用者が特殊操作を行ってからどの程度の時間が経過したかを把握できる。その結果、例えば、経過した時間に基づいて安否情報の信頼性の高さを推定することができる。
【００４２】
本発明において、通常操作は、操作部１５を操作せずに、読取装置１との無線通信が可能な範囲に情報送信機１４を移動させることを含んでもよい。つまり、例えば、情報送信機１４を携帯する利用者が読取装置１に近づくだけで、情報送信機１４から読取装置１に通常操作による信号が送信されてもよい。この場合、通常の入退室管理における利用者の利便性を向上させることができる。
【符号の説明】
【００４３】
１  読取装置
２  電気錠制御装置
３  センター装置
４  安否確認装置
５  電気錠
６  記憶部
７  照合部
８  施解錠部
９  モード切替部
１０  安否情報生成部
１１  データ格納部
１２  通知部
１３  災害検知手段
１４  情報送信機
１５  操作部
１６ａ  プロセッサ
１６ｂ  プロセッサ
１６ｃ  プロセッサ
１７ａ  メモリ
１７ｂ  メモリ
１７ｃ  メモリ
【図１】
2016110427.tif 000003
【図２】
2016110427.tif 000004
【図３】
2016110427.tif 000005
【図４】
2016110427.tif 000006
【図５】
2016110427.tif 000007
【図６】
2016110427.tif 000008
【図７】
2016110427.tif 000009